(57)【要約】【課題】試薬交換作業を早く正確に行うことができる自動分析装置を提供する。【解決手段】  試薬を用いて試料の分析を行う少なくとも１台の分析装置４を備えた自動分析装置において、分析装置４に関する情報を記憶したデータ管理装置３から、その分析装置４の識別情報を用いて試薬情報を抽出し、情報表示端末６のディスプレイ６０上に表示させる。オペレータは、ディスプレイ６０に表示された試薬情報（試薬位置、分析項目、試薬残量、有効期限）を確認しながら、分析装置４において交換する必要のある試薬（試薬容器）を交換する。【選択図】  図１
2011112524.tif 000002
【特許請求の範囲】
【請求項１】
試薬を用いて試料の分析を行う少なくとも１台の分析装置と、
前記分析装置を操作する操作装置と、
前記分析装置に搭載された試薬に関する試薬情報を記憶したデータ管理装置とを備えた自動分析装置であって、
前記自動分析装置の各構成に対して移動可能に設けられ、前記分析装置を識別するための識別情報に基づいて、データ管理装置から試薬情報を取得して表示する情報表示手段を備えたことを特徴とする自動分析装置。
【請求項２】
請求項１記載の自動分析装置において、
前記情報表示手段に表示する試薬情報の対象となる分析装置を指定する指定手段を備えたことを特徴とする自動分析装置。
【請求項３】
請求項１記載の自動分析装置において、
前記情報表示手段は、前記分析装置のそれぞれに設けられた識別情報を読み取る識別情報読み取り部を備えたことを特徴とする自動分析装置。
【請求項４】
請求項１〜３の何れかに記載の自動分析装置において、
前記試薬情報は、確認対象試薬の設置位置、分析項目、残量、有効期限のうち少なくとも１つを情報として含むことを特徴とする自動分析装置。
【発明の詳細な説明】
【技術分野】
【０００１】
本発明は、血液、尿などの生体試料の定性・定量を行う自動分析装置に関する。
【背景技術】
【０００２】
血液、尿などの生体試料の定性・定量を行う自動分析装置は、多検体に対する多項目の分析をより短時間で行うことが求められており、複数の分析装置を用いて並列で分析処理を行うモジュール・アセンブリ方式などの採用により分析時間の短縮が図られている。また、各種メンテナンスにはオペレータが手動で行うものもあるが、分析処理全体の時間短縮の観点から、それらメンテナンスについても同様に作業時間の短縮が要求されている。
【０００３】
オペレータなどによる手動のメンテナンスにおいては、自動分析装置における分析処理についての各種情報をオペレータ自身が確認し、その情報に基づいてメンテナンスを行う必要があるが、情報は多種多様であり情報の確認作業が非常に煩雑となってしまう。
【０００４】
このような情報の確認に関する従来技術として、例えば、特許文献１には、検体容器を架設する検体ラック、または試薬容器を架設する試薬ディスクのすくなくともいずれかについて、その実際の物理的配置と同じ配置状態を制御装置に設けられた表示装置に表示し、予め分類された検体または試薬の種類を指定し、指定された検体または試薬を他のものと識別して表示する技術が開示されている。
【先行技術文献】
【特許文献】
【０００５】
【特許文献１】特開２００９−３６５１３号公報
【発明の概要】
【発明が解決しようとする課題】
【０００６】
オペレータが手動で行う自動分析装置のメンテナンスの一つとして、試薬の残量不足や有効期限切れなどの防止・解消を目的とした試薬容器の交換作業があり、試薬情報（試薬の設置されている分析装置、分析装置内での試薬の設置位置、試薬の分析項目、試薬の残量、試薬の有効期限など）に基づいて該当する試薬容器を交換している。
【０００７】
上記従来技術において試薬容器の交換作業を行う場合は、分析装置を操作するための制御装置の位置に移動し、そこに設けられた表示部によって試薬情報を確認する必要がある。しかしながら、制御装置と分析装置とは必ずしも隣接して設置されるとは限られず、オペレータのメモや記憶に基づいて試薬容器の交換を行う必要があるので、オペレータの移動やメモに要する時間必要であり、さらには、交換対象である試薬容器の位置や種類を間違ってしまう恐れがあった。
【０００８】
本発明は上記に鑑みてなされたものであり、試薬交換作業を早く正確に行うことができる自動分析装置を提供することを目的とする。
【課題を解決するための手段】
【０００９】
上記目的を達成するために、本発明は、試薬を用いて試料の分析を行う少なくとも１台の分析装置と、
前記分析装置を操作する操作装置と、前記分析装置に搭載された試薬に関する試薬情報を記憶したデータ管理装置とを備えた自動分析装置であって、前記自動分析装置の各構成に対して移動可能に設けられ、前記分析装置を識別するための識別情報に基づいて、データ管理装置から試薬情報を取得して表示する情報表示手段を備えるものとする。
【発明の効果】
【００１０】
本発明によれば、試薬交換作業をより早く正確に行うことができる。
【図面の簡単な説明】
【００１１】
【図１】本発明の第１の実施の形態に係る自動分析装置の全体構成を示す概略図である。
【図２】本発明の第１の実施の形態に係る分析装置の構成を概略的に示す図である。
【図３】本発明の第１の実施の形態に係るデータ管理装置及び情報表示端末の処理内容の詳細を示す機能ブロック図である。
【図４】本発明の第１の実施の形態に係る情報表示端末のディスプレイに表示される試薬設置情報画面の一例を表す図である。
【図５】本発明の第２の実施の形態に係る自動分析装置の全体構成を示す概略図である。
【図６】本発明の第２の実施の形態に係るデータ管理装置及び情報表示端末の処理内容の詳細を示す機能ブロック図である。
【発明を実施するための形態】
【００１２】
以下、本発明の実施の形態を図面を参照しつつ説明する。
【００１３】
＜第１の実施の形態＞
図１は、本実施の形態に係る自動分析装置の全体構成を示す概略図である。
【００１４】
図１において、自動分析装置１００は、試薬等を用いて試料の分析を行う少なくとも１台（本実施の形態ではＮ台：Ｎは正の整数）の分析装置４と、各種情報を記憶する内部記憶装置３０を有し、分析処理のための各種パラメータ、試薬情報、装置構成情報、測定結果などの自動分析装置１００における情報を一括管理するデータ管理装置３と、分析装置４及びデータ管理装置３を含む自動分析装置１００の全体の動作を制御する操作装置１と、操作装置１及び分析装置４に対して移動可能に設けられ、各分析装置４に関する試薬情報を表示する情報表示端末６（情報表示手段）と、自動分析装置１００の各構成要素と情報表示端末６との通信をおこなう通信部２と、操作装置１、通信部２、データ管理装置３、及び分析装置４の間のデータのやりとりを行うインタフェースや通信線などの伝送部５とを備えている。
【００１５】
ここで、装置構成情報とは、自動分析装置１００に設けられた分析装置４の数や個々の分析装置４に設定された識別情報（後述する識別ＩＤ４０の情報など）であり、試薬情報とは、その試薬が収容された試薬容器が設置されている分析装置の識別情報、分析装置内での試薬の設置位置（後述する試薬ディスク４１における載置位置）、分析項目、残量、有効期限、その試薬に関するアラーム情報（残量や有効期限が予め設定した範囲となった場合の情報）などである。
【００１６】
操作装置１は、分析処理に関する検体情報、試薬情報、各種パラメータ等を入力するための入力装置、及びそれらを表示するための表示装置など（共に図示せず）を備えており、オペレータはそれらの装置を用いて分析処理に関する設定を行う。操作装置１は、設定された情報に基づいて自動分析装置１００の各構成に対して動作指示を行う。
【００１７】
通信部２は、情報表示装置６の通信部６ａと無線通信することにより、情報表示装置６が伝送部５に接続されているのと同様に自動分析装置１００の各構成要素とデータのやりとりを行えるようにするものである。
【００１８】
図２は、分析装置の構成を模式的に示す図である。
【００１９】
図２において、分析装置４は、分析対象である生体試料（例えば、血液・尿）を収容した試料容器４３と、分析に用いる試薬を収容した試薬容器４２を保持・搬送する試薬ディスク４１と、試料容器４３の生体試料と試薬容器４２の試薬を分注して混合して反応させる反応容器４４と、反応容器４４に対して光を照射する光源部４５と、光源部４５から照射されて反応容器４４及びその収容物（反応液）を通過した光を受光する受光部４６とを備えている。分析装置４では、光源部４５の発光量と受光部４６の受光量から反応液の吸光度を求め、この吸光度を濃度に換算することにより分析結果が得られる。なお、受光部４６の受光量の情報をデータ管理装置３に送り、吸光度算出や濃度換算を行っても良い。
【００２０】
試薬ディスク４１に載置した試薬容器４２に収容した試薬の消費情報（使用量の情報）は伝送部５を介してデータ管理装置３に送られ、内部記憶装置３０に記憶された試薬情報が更新される。
【００２１】
図３は、データ管理装置３及び情報表示端末６の処理内容の詳細を示す機能ブロック図である。
【００２２】
図３において、データ管理装置３は、内部記憶装置３０と、装置構成情報抽出部３１、試薬情報抽出部３２の各種機能を有している。
【００２３】
内部記憶装置３０は、分析処理のための各種パラメータ、試薬情報、装置構成情報、測定結果などを記憶するものである。装置構成情報抽出部３１は、情報表示端末６からの指示に基づいて内部記憶装置３０から装置構成情報を抽出して情報表示端末６に送信し、試薬情報抽出部３２は、情報表示端末６からの指示に基づいて内部記憶装置３０から試薬情報を抽出して情報表示端末６に送信する。
【００２４】
情報表示端末６は、ディスプレイ（表示部）６０、識別ＩＤ読取部６１、入力制御部６２、表示制御部６３、装置構成情報問い合わせ部６４、試薬情報問い合わせ部６５の各種機能を有している。
【００２５】
識別ＩＤ読取部６１は、各分析装置４に設けられ、分析装置４を個別に識別するための識別ＩＤ４０を読み取り、識別情報として試薬情報問い合わせ部６５に送る。
【００２６】
試薬情報問い合わせ部６５は、識別ＩＤ読取部６１、または入力制御部６２からの識別情報に基づいて、該当する分析装置４の試薬情報をデータ管理装置３の試薬情報抽出部３２に問い合わせ、試薬情報抽出部３２からの試薬情報を表示制御部６３に送る。
【００２７】
装置構成問い合わせ部６４は、予め定められたタイミングで、自動分析装置１００の装置構成情報をデータ管理装置３の装置構成情報抽出部３２に問い合わせの指示を出力し、装置構成情報抽出部３２からの装置構成情報を表示制御部６３に送る。
【００２８】
表示制御部６３は、試薬情報、装置構成情報などの情報をディスプレイ６０に送って表示させるとともに、表示情報（ディスプレイ６０上における表示内容やその座標データなど）を入力制御部６２に送る。
【００２９】
ディスプレイ６０には、試薬情報が表形式（後の図４参照）で表示されたり、装置構成情報が識別ＩＤアイコン６０ａのかたちで表示されたりする。また、ディスプレイ６０は、各種情報を表示する表示手段であるとともに、各種設定値や指示を入力する入力手段を兼ねており、例えば、タッチパネルで構成されている。ディスプレイ６０への入力情報（タッチパネルの場合は、ディスプレイ６０上でオペレータに指示された位置の座標など）は、入力制御部６２に送られる。
【００３０】
入力制御部６２は、表示制御部６３からの表示情報とディスプレイ６０からの入力情報を基に、ディスプレイ６０上で選択された識別ＩＤアイコン６０ａに該当する分析装置４の識別情報を試薬情報問い合わせ部６５に送る。
【００３１】
図４は、情報表示端末６のディスプレイ６０に表示される試薬情報の一例を表す図である。
【００３２】
図４において、試薬情報を表示する試薬情報表示領域７０には、該当する分析装置４の識別情報（識別ＩＤ）を表示する分析装置ＩＤ表示領域７１と、分析装置内での試薬の設置位置（試薬ディスク４１における載置位置）を表示する試薬設置位置表示領域７２と、該当する試薬の分析項目を表示する分析項目表示領域７３と、試薬の残量を表示する試薬残量表示領域７４と、試薬の有効期限を表示する試薬有効期限表示領域７５とが設けられている。例えば、識別情報（識別ＩＤ）がＣ２Ｋ１である分析装置４において、試薬ディスク４１の１の位置に設置された試薬は、分析項目がＡＬＢ（アルブミン）であり、残量は２００ｍｌ、有効期限は２００９年の１２月３１日であることがわかる。また、該当する試薬にアラームがある場合は、その項目に関して点滅や反転表示などによりオペレータに示される。
【００３３】
以上のように構成した本実施の形態の動作を説明する。
【００３４】
オペレータが、操作装置１及び分析装置４に対して移動可能に設けられた情報表示端末６を保持して分析装置４の位置に移動し、情報表示端末６の識別ＩＤ読取部６１により、分析装置４の識別情報（識別ＩＤ４０）を読み取る。
【００３５】
情報表示端末６は、分析装置４の識別情報が読み取られると、通信部２及び試薬情報抽出部３２を介してデータ管理装置３の内部記憶装置３０から該当する分析装置４の試薬情報を受け取り、ディスプレイ６０上に表示する。
【００３６】
オペレータは、情報表示端末６のディスプレイ６０に表示された試薬情報を確認しながら、分析装置４の試薬ディスク４１に設置された交換対象である試薬容器４２を交換する。
【００３７】
以上のように構成した本実施の形態の効果を説明する。
【００３８】
自動分析装置においては、オペレータが手動で行う自動分析装置のメンテナンスの一つとして、試薬の残量不足や有効期限切れなどの防止・解消を目的とした試薬容器の交換作業があり、試薬情報に基づいて該当する試薬容器を交換している。
【００３９】
従来技術において試薬容器の交換作業を行う場合は、分析装置を操作するための制御装置の位置に移動し、そこに設けられた表示部によって試薬情報を確認する必要がある。しかしながら、制御装置と分析装置とは必ずしも隣接して設置されるとは限られず、オペレータのメモや記憶に基づいて試薬容器の交換を行う必要があるので、オペレータの移動やメモに要する時間必要であり、さらには、交換対象である試薬容器の位置や種類を間違ってしまう恐れがあった。
【００４０】
これに対し、本実施の形態においては、情報表示端末に該当する分析装置の試薬情報を表示し、その試薬情報を確認しながら試薬の交換作業を行うことができるので、試薬交換作業を早く正確に行うことができる。
【００４１】
なお、本実施の形態においては、情報表示端末に試薬情報を表示するように構成したが、これら試薬情報と併せて、メンテナンス実施状況情報、分析装置の装置状態（ステータス、反応槽温度など）の情報、分析装置にて発生しているアラーム情報などの各種情報を表示するように構成してもよい。また、情報表示端末６と伝送部５とを通信部２を介して無線通信により接続するように構成したがこれに限られず、有線接続により構成しても良い。
【００４２】
＜第２の実施の形態＞
本発明の第２の実施の形態を図５，図６を用いて説明する。本実施の形態は、第１の実施の形態で示した自動分析装置の分析装置のそれぞれに対応する情報表示端末を設けた場合を示すものである。図中、第１の実施の形態と同等の部材には同じ符号を付し、説明を適宜省略する。
【００４３】
図５は、本実施の形態に係る自動分析装置の全体構成を示す概略図である。
【００４４】
図５において、自動分析装置２００は、試薬を用いて試料の分析を行う少なくとも１台（本実施の形態ではＮ台）の分析装置４と、内部記憶装置３０を有し、分析処理のための各種パラメータ、試薬情報、装置構成情報、測定結果などを一括管理するデータ管理装置２０３と、分析装置４及びデータ管理装置２０３を含む自動分析装置２００の全体の動作を制御する操作装置１と、分析装置４のそれぞれに対応して１つずつ設けられるとともに、操作装置１及び分析装置４に対して移動可能に設けられ、各分析装置４に関する試薬情報を表示する情報表示端末２０６と、操作装置１、データ管理装置２０３、分析装置４及び情報表示端末２０６の間のデータのやりとりを行うインタフェースや通信線などの伝送部５とを備えている。
【００４５】
図６は、データ管理装置２０３及び情報表示端末２０６の処理内容の詳細を示す機能ブロック図である。
【００４６】
図６において、データ管理装置２０３は、内部記憶装置３０と、試薬情報抽出部３２の各種機能を有している。
【００４７】
内部記憶装置３０は、分析処理のための各種パラメータ、試薬情報、装置構成情報、測定結果などを記憶するものである。試薬情報抽出部３２は、情報表示端末２０６からの指示に基づいて内部記憶装置３０から試薬情報を抽出して情報表示端末２０６に送信する。
【００４８】
情報表示端末２０６は、ディスプレイ（表示部）２６０、入力制御部２６２、表示制御部２６３、試薬情報問い合わせ部２６５、識別ＩＤ２４０の各種機能を有している。
【００４９】
識別ＩＤ２４０は、情報表示端末２０６が設けられる分析装置４に応じて予め設定されるものであり、対応する分析装置４に関する識別ＩＤが登録される。
【００５０】
試薬情報問い合わせ部６５は、情報表示端末２０６に予め設定された識別ＩＤ２４０からの識別情報に基づいて、該当する分析装置４の試薬情報をデータ管理装置２０３の試薬情報抽出部３２に問い合わせ、試薬情報抽出部３２からの試薬情報を表示制御部２６３に送る。
【００５１】
表示制御部６３は、試薬情報などの情報をディスプレイ２６０に送って表示させるとともに、表示情報（ディスプレイ２６０上における表示内容やその座標データなど）を入力制御部２６２に送る。
【００５２】
ディスプレイ２６０には、第１の実施の形態と同様に試薬情報が表形式（図４参照）で表示される。また、ディスプレイ２６０は、各種情報を表示する表示手段であるとともに、各種設定値や指示を入力する入力手段を兼ねており、例えば、タッチパネルで構成されている。ディスプレイ２６０への入力情報（タッチパネルの場合は、ディスプレイ２６０上でオペレータに指示された位置の座標など）は、入力制御部２６２に送られる。
【００５３】
その他の構成は、本発明の第１の実施の形態と同様である。
【００５４】
以上のように構成した本実施の形態の動作を説明する。
【００５５】
情報表示端末２０６は、分析装置４の識別情報に基づいて試薬情報抽出部３２を介してデータ管理装置２０３の内部記憶装置３０から該当する分析装置４の試薬情報を受け取り、ディスプレイ２６０上に表示する。
【００５６】
オペレータは、情報表示端末２０６のディスプレイ２６０に表示された試薬情報を確認しながら、分析装置４の試薬ディスク４１に設置された交換対象である試薬容器４２を交換する。
【００５７】
以上のように構成した本実施の形態においても、第１の実施の形態と同様に、情報表示端末に該当する分析装置の試薬情報を表示し、その試薬情報を確認しながら試薬の交換作業を行うことができるので、試薬交換作業を早く正確に行うことができる。
【符号の説明】
【００５８】
１  操作装置
２  通信部
３  データ管理装置
４  分析装置
５  伝送部
６  情報表示端末
３０  内部記憶装置
３１  装置構成情報抽出部
３２  試薬情報抽出部
４０  識別ＩＤ
４１  試薬ディスク
４２  試薬容器
４３  試料容器
４４  反応容器
４５  光源部
４６  受光部
６０  ディスプレイ
６１  識別ＩＤ読取部
６２  入力制御部
６３  表示制御部
６４  装置構成情報問い合わせ部
６５  試薬情報問い合わせ部
７０  試薬情報表示部
７１  分析装置ＩＤ表示領域
７２  試薬設置位置表示領域
７３  分析項目表示領域
７４  試薬残量表示領域
７５  試薬有効期限表示領域
１００  自動分析装置
【図１】
2011112524.tif 000003
【図２】
2011112524.tif 000004
【図３】
2011112524.tif 000005
【図４】
2011112524.tif 000006
【図５】
2011112524.tif 000007
【図６】
2011112524.tif 000008